(57)【要約】【課題】画質を低下させることなく、光走査装置の小型化を実現すること。【解決手段】立設部には、光源ユニット５１ａから出射されて回転多面鏡４２に向かうレーザー光の一部と光源ユニット５１ａから出射されて回転多面鏡４２により偏向されたレーザー光とを通過させる第１の開口と、光源から出射されて回転多面鏡４２に向かうレーザー光の一部を通過させる第２の開口と、が設けられ、同期センサ６７には回転多面鏡４２によって偏向されて第１の開口を通過したレーザー光が入射する。【選択図】図１３
2018132644.tif 000002
【特許請求の範囲】
【請求項１】
光走査装置であって、
第１の感光体を露光するためのレーザー光を出射する第１の光源と、
第２の感光体を露光するためのレーザー光を出射する第２の光源と、
複数の反射面を有し、回転駆動される回転多面鏡であって、前記複数の反射面によって前記第１の光源及び前記第２の光源から出射されたレーザー光がそれぞれ対応する感光体を走査するように当該レーザー光を偏向する回転多面鏡と、
前記第１の光源から出射され前記回転多面鏡により偏向されたレーザー光を受光することによって、レーザー光の走査周期における画像データに基づく前記第１の光源が出射するレーザー光の出射タイミング及び前記第２の光源が出射するレーザー光の出射タイミングを決定するための同期信号を生成する受光部と、
前記第１の光源及び前記第２の光源と前記回転多面鏡との間に設けられた立設部と、
を備え、
前記第１の光源及び前記第２の光源は、
前記回転多面鏡の回転軸線に直交し、前記複数の反射面と交差する仮想平面に対して互いに反対側に配置され、
かつ、
前記第１の光源から出射されたレーザー光と前記第２の光源から出射されたレーザー光が同一反射面に入射し、前記第１の光源から出射されて前記反射面に入射するレーザー光の光束の中心軸線と前記仮想平面とが０度より大きい角度をなし、前記第２の光源から出射されて前記反射面に入射するレーザー光の光束の中心軸線と前記仮想平面とが０度より大きい角度をなし、更に、前記回転多面鏡の回転軸線上から前記第１の光源から出射されて前記反射面に入射するレーザー光の光束の中心軸線と前記第２の光源から出射されて前記反射面に入射するレーザー光の光束の中心軸線を視たときに前記第１の光源から出射されるレーザー光の光束の中心軸線と前記第２の光源から出射されるレーザー光の光束の中心軸線とが０度より大きい角度をなすように前記光走査装置に配置されており、 
前記立設部には、前記第１の光源から出射されて前記回転多面鏡に向かうレーザー光の一部と前記第１の光源から出射されて前記回転多面鏡により偏向されたレーザー光とを通過させる第１の開口と、前記第２の光源から出射されて前記回転多面鏡に向かうレーザー光の一部を通過させる第２の開口と、が設けられ、
前記受光部には前記回転多面鏡によって偏向されて前記第１の開口を通過したレーザー光が入射することを特徴とする光走査装置。
【請求項２】
前記回転多面鏡が設置される底面と、前記底面から立設し前記第１の光源及び前記第２の光源が取り付けられる側壁面と、を有する筐体を備え、
前記第１の光源は、前記回転多面鏡の回転軸線方向において、前記第２の光源よりも前記筐体の底面側に設けられており、
前記受光部は、前記回転多面鏡の回転軸線方向において、前記第１の光源の真上に配置されていることを特徴とする請求項１に記載の光走査装置。
【請求項３】
前記第１の光源と前記受光部は、同一の回路基板に実装されていることを特徴とする請求項２に記載の光走査装置。
【請求項４】
前記第２の光源は、前記回路基板に実装されていることを特徴とする請求項３に記載の光走査装置。
【請求項５】
前記第１の開口は、前記第１の光源から出射され前記回転多面鏡により反射され前記受光部に向かうレーザー光が通過する領域のレーザー光の走査方向の幅が、前記第１の光源から出射されたレーザー光が通過する領域の前記走査方向の幅よりも広いことを特徴とする請求項１から請求項４のいずれか１項に記載の光走査装置。
【請求項６】
前記立設部は、前記筐体と一体的に形成されていることを特徴とする請求項２から請求項５のいずれか１項に記載の光走査装置。
【請求項７】
前記立設部は、前記第１の光源から出射されて前記反射面に入射するレーザー光の光束の中心軸線と前記仮想平面とがなす角度及び前記第２の光源から出射されて前記反射面に入射するレーザー光の光束の中心軸線と前記仮想平面とがなす角度をα、前記第１の光源から出射されるレーザー光の光束の中心軸線と前記第２の光源から出射されるレーザー光の光束の中心軸線とがなす角度をβとすると、
２×α＜β
の関係となるように、前記筐体に形成されることを特徴とする請求項６に記載の光走査装置。
【請求項８】
前記第１の光源から出射されたレーザー光を前記回転多面鏡の反射面上に集光させるシリンドリカルレンズを備え、
前記第１の光源から出射され前記回転多面鏡により反射され前記受光部に向かうレーザー光は、前記シリンドリカルレンズを通過して前記受光部に入射されることを特徴とする請求項１から請求項７のいずれか１項に記載の光走査装置。
【請求項９】
前記第１の光源及び前記第２の光源は、複数の発光点を有することを特徴とする請求項１から請求項８のいずれか１項に記載の光走査装置。
【請求項１０】
請求項１から請求項９のいずれか１項に記載の光走査装置と、
前記第１の光源から出射されたレーザー光により潜像が形成される第１の感光体と、
前記第２の光源から出射されたレーザー光により潜像が形成される第２の感光体と、
前記第１の感光体に形成された潜像をトナーにより現像しトナー像を形成する第１の現像手段と、
前記第２の感光体に形成された潜像をトナーにより現像しトナー像を形成する第２の現像手段と、
前記第１の現像手段により形成されたトナー像を被転写体に転写する第１の転写手段と、
前記第２の現像手段により形成されたトナー像を被転写体に転写する第２の転写手段と、
を備えることを特徴とする画像形成装置。
【発明の詳細な説明】
【技術分野】
【０００１】
本発明は、複写機、プリンタ、ファクシミリ、それらの複合機等の画像形成装置に用いられる光走査装置、及びその光走査装置を備える画像形成装置に関する。
【背景技術】
【０００２】
電子写真方式の画像形成装置に用いられる光走査装置としては、次のような構成を備える光走査装置が周知である。即ち、光源から出射される光ビームを回転多面鏡により偏向し、偏向された光ビームをレンズやミラーなどの光学部品により感光体の感光面上に導くことによって、感光体上に潜像画像を形成する光走査装置である。
【０００３】
光走査装置内部には、半導体レーザーから出射されたレーザー光を偏向し走査するための、回転多面鏡を有する偏向器が設けられている。レーザー光を回転多面鏡により感光体上において走査させるとともに、感光体の動作に合わせて、半導体レーザーの発光、消灯が繰り返されることで、感光体上に所定の潜像画像が得られる。
【０００４】
光走査装置の一般的な構成として、同期センサによってレーザー光の発光タイミングの基準信号を得る構成が知られている。回転多面鏡により偏向、走査されたレーザー光が同期センサへ導かれるように構成し、同期センサから出力された信号をトリガとして、レーザーの発光タイミングが制御される。これにより、感光体上の所定の位置に画像が形成されるように制御される。また、光走査装置は、半導体レーザーと回転多面鏡との間にレーザー光のスポット形状を整形するためにレーザー光の一部を通過させる開口板（整形部材）を備えている。（例えば、特許文献１参照）。
【先行技術文献】
【特許文献】
【０００５】
【特許文献１】特開２０１２−１１３０１１号公報
【発明の概要】
【発明が解決しようとする課題】
【０００６】
しかしながら、同期センサに導くレーザー光の光路が半導体レーザーから回転多面鏡に向かうレーザー光の光路の近傍に位置する光路設計がなされた光走査装置において、次のような課題が生じる。レーザー光の一部を通過させる整形部材は回転多面鏡に極力近づけて配置することが望ましいが、整形部材を回転多面鏡に近づけて配置することによって、整形部材が同期センサに導くレーザー光の光路上に位置してしまい、同期センサに導くレーザー光の光路を整形部材が遮光してしまう。
【０００７】
本発明は、このような状況のもとでなされたもので、光源と回転多面鏡との間に配置されて光源から出射されたレーザー光の一部を通過させる開口を備える立設部が受光部に向かうレーザー光が遮光することのない光走査装置を提供することを目的とする。
【課題を解決するための手段】
【０００８】
上述した課題を解決するために、本発明は、以下の構成を備える。
【０００９】
（１）光走査装置であって、第１の感光体を露光するためのレーザー光を出射する第１の光源と、第２の感光体を露光するためのレーザー光を出射する第２の光源と、複数の反射面を有し、回転駆動される回転多面鏡であって、前記複数の反射面によって前記第１の光源及び前記第２の光源から出射されたレーザー光がそれぞれ対応する感光体を走査するように当該レーザー光を偏向する回転多面鏡と、前記第１の光源から出射され前記回転多面鏡により偏向されたレーザー光を受光することによって、レーザー光の走査周期における画像データに基づく前記第１の光源が出射するレーザー光の出射タイミング及び前記第２の光源が出射するレーザー光の出射タイミングを決定するための同期信号を生成する受光部と、前記第１の光源及び前記第２の光源と前記回転多面鏡との間に設けられた立設部と、を備え、前記第１の光源及び前記第２の光源は、前記回転多面鏡の回転軸線に直交し、前記複数の反射面と交差する仮想平面に対して互いに反対側に配置され、かつ、前記第１の光源から出射されたレーザー光と前記第２の光源から出射されたレーザー光が同一反射面に入射し、前記第１の光源から出射されて前記反射面に入射するレーザー光の光束の中心軸線と前記仮想平面とが０度より大きい角度をなし、前記第２の光源から出射されて前記反射面に入射するレーザー光の光束の中心軸線と前記仮想平面とが０度より大きい角度をなし、更に、前記回転多面鏡の回転軸線上から前記第１の光源から出射されて前記反射面に入射するレーザー光の光束の中心軸線と前記第２の光源から出射されて前記反射面に入射するレーザー光の光束の中心軸線を視たときに前記第１の光源から出射されるレーザー光の光束の中心軸線と前記第２の光源から出射されるレーザー光の光束の中心軸線とが０度より大きい角度をなすように前記光走査装置に配置されており、前記立設部には、前記第１の光源から出射されて前記回転多面鏡に向かうレーザー光の一部と前記第１の光源から出射されて前記回転多面鏡により偏向されたレーザー光とを通過させる第１の開口と、前記第２の光源から出射されて前記回転多面鏡に向かうレーザー光の一部を通過させる第２の開口と、が設けられ、前記受光部には前記回転多面鏡によって偏向されて前記第１の開口を通過したレーザー光が入射することを特徴とする光走査装置。
【００１０】
（２）前記（１）に記載の光走査装置と、前記第１の光源から出射されたレーザー光により潜像が形成される第１の感光体と、前記第２の光源から出射されたレーザー光により潜像が形成される第２の感光体と、前記第１の感光体に形成された潜像をトナーにより現像しトナー像を形成する第１の現像手段と、前記第２の感光体に形成された潜像をトナーにより現像しトナー像を形成する第２の現像手段と、前記第１の現像手段により形成されたトナー像を被転写体に転写する第１の転写手段と、前記第２の現像手段により形成されたトナー像を被転写体に転写する第２の転写手段と、を備えることを特徴とする画像形成装置。
【発明の効果】
【００１１】
本発明によれば、光源と回転多面鏡との間に配置されて光源から出射されたレーザー光の一部を通過させる開口を備える立設部が受光部に向かうレーザー光が遮光することのない光走査装置を提供することができる。
【図面の簡単な説明】
【００１２】
【図１】実施例の画像形成装置の概略断面図
【図２】実施例の光走査装置の全体斜視図
【図３】実施例の光走査装置の光源から回転多面鏡までの配置の要部を示す図
【図４】実施例の光走査装置の光源から回転多面鏡までの配置の要部を示す断面図
【図５】実施例の光走査装置の光源から回転多面鏡までの光路を示す斜視図
【図６】実施例のレーザー光の光路を示す断面図
【図７】実施例の発光点から出射されたレーザー光の光路を説明する図
【図８】実施例の複数の発光点から出射されたレーザー光の位置差を説明する図
【図９】実施例の感光ドラム上でのスポットの位置を示す図
【図１０】実施例の各発光点の時間差を説明する図
【図１１】実施例の回転多面鏡近傍を示す図
【図１２】実施例の同期センサの構成と出力される信号を示す図
【図１３】実施例の主走査絞りの構成を示す図
【発明を実施するための形態】
【００１３】
以下、本発明を実施するための形態を、実施例により図面を参照しながら詳しく説明する。なお、以下の説明において、回転多面鏡の回転軸線方向をＺ軸方向、レーザー光の走査方向である主走査方向又はミラーの長手方向をＹ軸方向、Ｙ軸及びＺ軸に垂直な方向をＸ軸方向とする。
【実施例１】
【００１４】
［画像形成装置の構成］
実施例の画像形成装置の構成を説明する。図１は、実施例のタンデム型のカラーレーザービームプリンタの全体構成を示す概略構成図である。このレーザービームプリンタ（以下、単にプリンタという）は、イエロー（Ｙ）、マゼンタ（Ｍ）、シアン（Ｃ）及びブラック（Ｂｋ）の色毎にトナー像を形成する４基の作像エンジン１０Ｙ、１０Ｍ、１０Ｃ、１０Ｂｋ（一点鎖線で図示）を備える。また、プリンタは、各作像エンジン１０Ｙ、１０Ｍ、１０Ｃ、１０Ｂｋからトナー像が転写される被転写体である中間転写ベルト２０を備えている。中間転写ベルト２０に多重転写されたトナー像は、記録媒体である記録シートＰに転写されてフルカラー画像が形成されるように構成されている。以降、各色を表す符号Ｙ、Ｍ、Ｃ、Ｂｋは、必要な場合を除き省略する。
【００１５】
中間転写ベルト２０は、無端状に形成され、１対のベルト搬送ローラ２１、２２にかけ回されており、矢印Ｈ方向に回転動作しながら各作像エンジン１０で形成されたトナー像が転写されるように構成されている。また、中間転写ベルト２０を挟んで一方のベルト搬送ローラ２１と対向する位置には、２次転写ローラ３０が配設されている。記録シートＰは、互いに圧接する２次転写ローラ３０と中間転写ベルト２０との間に挿通されて、中間転写ベルト２０からトナー像が転写される。中間転写ベルト２０の下側には、前述した４基の作像エンジン１０Ｙ、１０Ｍ、１０Ｃ、１０Ｂｋが並列的に配設されており、各色の画像情報に応じて形成したトナー像を中間転写ベルト２０に転写するようになっている（以下、１次転写という）。これら４基の作像エンジン１０は、中間転写ベルト２０の回動方向（矢印Ｈ方向）に沿って、イエロー用の作像エンジン１０Ｙ、マゼンタ用の作像エンジン１０Ｍ、シアン用の作像エンジン１０Ｃ及びブラック用の作像エンジン１０Ｂｋの順に配設されている。
【００１６】
また、作像エンジン１０の下方には、各作像エンジン１０に具備された被走査体である感光ドラム（感光体）５０を画像情報に応じて露光する光走査装置４０が配設されている。光走査装置４０は、全ての作像エンジン１０Ｙ、１０Ｍ、１０Ｃ、１０Ｂｋに共用されており、各色の画像情報に応じて変調されたレーザー光（光ビーム）を出射する、光源である４基の半導体レーザー５２（図４の５２ａ参照）を備えている。また、光走査装置４０は、回転駆動され高速回転してこれら４光路のレーザー光を感光ドラム５０の回転軸線方向に沿って走査する回転多面鏡４２を備えている（図２参照）。回転多面鏡４２によって走査された各レーザー光は、光走査装置４０内に設置された光学部材に案内されながら所定の経路を進む。そして、所定の経路を進んだ各レーザー光は、光走査装置４０の上部に設けられた各照射口（図６の透明窓４３ａ〜４３ｄ）を通して、各作像エンジン１０の各感光ドラム５０を露光する。
【００１７】
また、各作像エンジン１０は、感光ドラム５０と、感光ドラム５０を一様な背景部電位にまで帯電させる帯電ローラ１２と、を備える。更に、各作像エンジン１０は、レーザー光の露光によって感光ドラム５０上（被走査体上）に形成された静電潜像を現像してトナー像を形成する現像器１３を備えている。現像器１３は、感光体である感光ドラム５０上に各色の画像情報に応じたトナー像を形成する。現像器１３は、トナーとキャリアが混合された２成分現像剤を用いる方式である。現像器１３は、経時変化に伴う現像剤の入れ換えのメンテナンスを省略するため、補給カートリッジ（不図示）からトナーとキャリアとが混合された現像剤を補給される。現像器１３については、劣化した現像剤を自動的に排出する現像方式が用いられている。
【００１８】
各作像エンジン１０の感光ドラム５０に対向する位置には、中間転写ベルト２０を挟むようにして１次転写ローラ１５が配設されている。１次転写ローラ１５は、所定の転写電圧が印加されることにより、感光ドラム５０上のトナー像が中間転写ベルト２０に転写される。
【００１９】
一方、記録シートＰは、プリンタ筐体１の下部に収納される給紙カセット２からプリンタの内部、具体的には中間転写ベルト２０と２次転写ローラ３０とが当接する２次転写位置へ供給される。給紙カセット２は、プリンタ筐体１の側面からプリンタ筐体１の下部に押し込んでセットするように構成されている。プリンタ筐体１にセットされた給紙カセット２の上部には、給紙カセット２内に収容された記録シートＰを引き出すためのピックアップローラ２４及び給紙ローラ２５が並設されている。また、給紙ローラ２５と対向する位置には、記録シートＰの重送を防止するリタードローラ２６が配設されている。プリンタの内部における記録シートＰの搬送経路２７は、プリンタ筐体１の右側面に沿って略垂直に設けられている。プリンタ筐体１の底部に位置する給紙カセット２から引き出された記録シートＰは、搬送経路２７を上昇し、２次転写位置に対する記録シートＰの突入タイミングを制御するレジストレーションローラ２９へと送られる。その後、記録シートＰは、２次転写位置においてトナー像が転写された後、搬送方向の下流側に設けられた定着器３（破線で図示）へと送られる。そして、定着器３によってトナー像が定着された記録シートＰは、排出ローラ２８を経て、プリンタ筐体１の上部に設けられた排出トレイ１ａに排出される。
【００２０】
このように構成されたカラーレーザービームプリンタによるフルカラー画像の形成にあたっては、まず、各色の画像情報に応じて光走査装置４０が各作像エンジン１０の感光ドラム５０を所定のタイミングで露光する。これによって各作像エンジン１０の感光ドラム５０上には、画像情報に応じた潜像画像が形成される。ここで、良質な画質を得るためには、光走査装置４０によって形成される潜像画像が、感光ドラム５０上の所定の位置に精度よく再現されたものでなければならない。
【００２１】
［光走査装置］
図２は光走査装置４０の上蓋４８（図６参照）を外し、光走査装置４０内部の構成を上方から見た斜視図である。図３は、光源から出射されたレーザー光が回転多面鏡４２の反射面に至るまでのレーザー光の光路を回転多面鏡４２の回転軸線方向（＋Ｚ方向）から見た概略図、図４は、図３のＤ−Ｄ線における断面図であり要部を図示したものである。図５は光源ユニット５１ａ〜５１ｄから回転多面鏡４２までの要部を図示した斜視図、図６は回転多面鏡４２により偏向された後のレーザー光の光路を示す図である。光源ユニット５１ａから出射されたレーザー光と光源ユニット５ｂから出射されたレーザー光は、回転多面鏡４２の同一反射面に入射する。光源ユニット５１ｄから出射されたレーザー光と光源ユニット５ｃから出射されたレーザー光は、回転多面鏡４２の同一反射面に入射する。
【００２２】
例えば、実施例では、１つの作像エンジン１０に対して１つの光源ユニット５１（図３の５１ａ〜５１ｄ参照）が設けられている。具体的には、作像エンジン１０Ｙには光源ユニット５１ａが対応し、作像エンジン１０Ｍには光源ユニット５１ｂが対応し、作像エンジン１０Ｃには光源ユニット５１ｃが対応し、作像エンジン１０Ｂｋには光源ユニット５１ｄが対応する（図３参照）。以下の説明において、必要な場合を除き、作像エンジン１０Ｙ〜１０Ｂｋに対応する符号の添え字ａ〜ｄの記載を省略する。光源ユニット５１は、光源ユニット５１を駆動するレーザドライバ（不図示）とともに回路基板４５に実装される。回路基板４５は、筐体１０１の底面から立設した側壁面１０１ｄに取り付けられている。具体的には、２つの光源ユニット５１ａ、５１ｂは回路基板４５ａに実装され、２つの光源ユニット５１ｃ、５１ｄは回路基板４５ｂに実装される。第１の光源である光源ユニット５１ａ及び第２の光源である光源ユニット５１ｂから出射されるそれぞれのレーザー光の光路は、互いに主走査方向及び副走査方向において角度差を有するように回路基板４５ａに実装されている（図４参照）。２つの回路基板４５ａ、４５ｂは、図２に示すように筐体１０１の側壁面１０１ｄに取り付けられる。回路基板４５ａには後述する同期センサ６７が実装されている。
【００２３】
光走査装置４０の筐体１０１の内部には、回転多面鏡４２、シリンドリカルレンズ６５、光学レンズ６０、反射ミラー６２等が設置されている。光源ユニット５１ａ、５１ｂに対しては、シリンドリカルレンズ６５ａが設けられており、光源ユニット５１ｃ、５１ｄに対しては、シリンドリカルレンズ６５ｂが設けられている。また、光源ユニット５１ａ、５１ｂに対しては、立設部である主走査絞り６６ａが設けられており、光源ユニット５１ｃ、５１ｄに対しては、主走査絞り６６ｂが設けられている。以下、必要な場合を除き、符号６５ａ、６５ｂ、６６ａ、６６ｂの添え字ａ、ｂは省略する。シリンドリカルレンズ６５は、シリンドリカル面６５−１を有している。
【００２４】
光源ユニット５１は、半導体レーザー５２と、コリメータレンズ５３と、副走査絞り５４とを有している。半導体レーザー５２から出射されたレーザー光は拡散光であり、コリメータレンズ５３によって拡散光から平行光に変換される。光源ユニット５１から出射されたレーザー光は、主走査絞り６６により規定される所定の幅を有する光線となる。レーザー光は、シリンドリカルレンズ６５のシリンドリカル面６５−１によって回転多面鏡４２の反射面上に集光される。光源ユニット５１から出射されるレーザー光の光束の中心軸（中心軸線）が、回転多面鏡４２の回転軸と直交する仮想平面Ｓｐ（図中、濃い二点鎖線）に対して０度より大きい角度（角度α）となるように、光源ユニット５１はそれぞれ配置されている。更に、２つの光源ユニット５１は、仮想平面Ｓｐに対して互いに反対側に配置されている。２つの光源ユニット５１から出射されるレーザー光の光束の中心軸間の最短距離は回転多面鏡４２に近づくにつれて短くなる。なお、光束はレーザー光の進行方向に直交する面の断面である。図４には、光源ユニット５１から出射されるレーザー光の光束の中心軸を一点鎖線で示している。仮想平面Ｓｐは、回転多面鏡４２の複数の反射面と交差する。
【００２５】
図３〜図５では、光源ユニット５１ａから出射されたレーザー光の光路を光路９０とし、光源ユニット５１ｂから出射されたレーザー光の光路を光路９１としている。また、光源ユニット５１ａから出射され回転多面鏡４２により反射されて同期センサ６７に向かうレーザー光の光路を光路９３としている。
【００２６】
一方、光源ユニット５１は、図３に示すように、回転多面鏡４２に対して反射ミラー６２の長手方向に直交する方向（左右方向ともいう）に対称に２つずつ配置されている。光源ユニット５１は、回転多面鏡４２による偏向点に向けて異なる角度となるよう配置されている。即ち、回転多面鏡４２の回転方向について、２つの光源ユニット５１から出射されるレーザー光の光束の中心軸間の角度が０度より大きい角度（角度β）となるように配置されている。２つの光源ユニット５１から出射されるレーザー光の光束の中心軸間の最短距離は回転多面鏡４２に近づくにつれて短くなる。角度βは、回転多面鏡４２の回転軸線上からレーザー光の光束の中心軸線を視たときの角度である。
【００２７】
ここで、光源ユニット５１から出射され、回転多面鏡４２により偏向され、各感光ドラム５０に照射されるレーザー光の光路について説明する。光走査装置４０には、各レーザー光を感光ドラム５０上へ案内し、結像させるための光学レンズ６０ａ〜６０ｆ、反射ミラー６２ａ〜６２ｈが設置されている。図６を用いてレーザー光が光学レンズ６０ａ〜６０ｆ、反射ミラー６２ａ〜６２ｈによって感光ドラム５０に導かれる様子を説明する。図６は光学部品を取り付けた光走査装置４０の全体像を示した概略断面図である。光源ユニット５１ａから出射された感光ドラム５０Ｙに対応するレーザー光ＬＹは、回転多面鏡４２によって偏向され、光学レンズ６０ａに入射する。光学レンズ６０ａを通過したレーザー光ＬＹは、光学レンズ６０ｂに入射し、光学レンズ６０ｂを通過した後、反射ミラー６２ａによって反射される。反射ミラー６２ａによって反射されたレーザー光ＬＹは、透明窓４３ａを通過して感光ドラム５０Ｙを走査する。
【００２８】
光源ユニット５１ｂから出射された感光ドラム５０Ｍに対応するレーザー光ＬＭは、回転多面鏡４２によって偏向され、光学レンズ６０ａに入射する。光学レンズ６０ａを通過したレーザー光ＬＭは、反射ミラー６２ｂ、反射ミラー６２ｃによって反射されて、光学レンズ６０ｅに入射し、光学レンズ６０ｅを通過した後、反射ミラー６２ｄによって反射される。反射ミラー６２ｄによって反射されたレーザー光ＬＭは、透明窓４３ｂを通過して感光ドラム５０Ｍを走査する。
【００２９】
光源ユニット５１ｃから出射された感光ドラム５０Ｃに対応するレーザー光ＬＣは、回転多面鏡４２によって偏向され、光学レンズ６０ｃに入射する。光学レンズ６０ｃを通過したレーザー光ＬＣは、反射ミラー６２ｅ、反射ミラー６２ｆによって反射されて、光学レンズ６０ｆに入射し、光学レンズ６０ｆを通過したレーザー光ＬＣは、反射ミラー６２ｇによって反射される。反射ミラー６２ｇによって反射されたレーザー光ＬＣは、透明窓４３ｃを通過して感光ドラム５０Ｃを走査する。
【００３０】
光源ユニット５１ｄから出射された感光ドラム５０Ｂｋに対応するレーザー光ＬＢｋは、回転多面鏡４２によって偏向され、光学レンズ６０ｃに入射する。光学レンズ６０ｃを通過したレーザー光ＬＢｋは、光学レンズ６０ｄに入射し、光学レンズ６０ｄを通過した後、反射ミラー６２ｈによって反射される。反射ミラー６２ｈによって反射されたレーザー光ＬＢｋは、透明窓４３ｄを通過して感光ドラム５０Ｂｋを走査する。以下の説明では、光学レンズ６０ａ〜６０ｄを総称して光学レンズ６０と記し、反射ミラー６２ａ〜６２ｈを総称して反射ミラー６２と記す。第１のレンズである光学レンズ６０ａ、６０ｃは、主走査方向に強く光学パワーを有するレンズである。第２のレンズである６０ｂ、６０ｄ、６０ｅ、６０ｆは、副走査方向に強く光学パワーを有するレンズである。光学レンズ６０は、図３で説明した角度βによる主走査方向の特性に応じて設計されている。
【００３１】
［筒部］
光走査装置４０を小型化するため、光源ユニット５１は筐体１０１の側壁面１０１ｄに取り付けられている。筐体１０１には、光源ユニット５１を覆う筒部１０１ｂが設けられている。筒部１０１ｂは、コリメータレンズ５３とシリンドリカルレンズ６５との距離を取るために、図４に示すように、筐体１０１の内部に突出したトンネル形状として形成されている。筐体１０１には、光源ユニット５１から出射されたレーザー光が通過する開口１０１ｃが設けられている。筐体１０１に設けられた開口１０１ｃは、トンネル形状の筒部１０１ｂを形成している。開口１０１ｃは、筐体１０１の内部側における筒部１０１ｂの先端に設けられている。筒部１０１ｂは、筐体１０１内部の防塵性を向上させるために、シリンドリカルレンズ６５の近傍まで延伸されている。
【００３２】
［同期センサ６７］
受光部である同期センサ６７は、回転多面鏡４２により偏向走査されたレーザー光が入射されたことに応じて同期信号（ＢＤ信号ともいう）を出力する。同期センサ６７で生成されたＢＤ信号は、光源ユニット５１からレーザー光を出射するタイミングを決定するために用いられる。回転多面鏡４２の反射面により反射されたレーザー光は、回転多面鏡４２の回転に伴って、感光ドラム５０上における画像形成開始前の領域、画像形成中の領域、画像形成終了後の領域、と走査される。ここで、画像形成開始前の領域とは、感光ドラム５０上の主走査方向において、画像データに応じた潜像の形成が開始されるまでの領域である。画像形成中の領域とは、感光ドラム５０上の主走査方向において、画像データに応じた潜像の形成が行われている領域である。画像形成終了後の領域とは、感光ドラム５０上の主走査方向において、画像データに応じた潜像の形成が終了した後の領域である。
【００３３】
光源ユニット５１ａは、回転多面鏡４２の回転軸線方向において、光源ユニット５１ｂよりも筐体１０１の底面側に設けられている。本実施例では、同期センサ６７は光源ユニット５１ａの略直上（真上）に配置されている。回転多面鏡４２により偏向されたレーザー光は、主走査絞り６６に形成された同期検知光通過部６８を通過する。主走査絞り６６に形成された同期検知光通過部６８を通過したレーザー光は、レンズ部６５−２（図５参照）を通過し、同期センサ６７に入射する。同期検知光通過部６８は、主走査絞り６６ａと一体化している。レンズ部６５−２は、シリンドリカルレンズ６５ａと一体的に形成されている。光源ユニット５１ａから回転多面鏡４２へ向かうレーザー光と、回転多面鏡４２により反射され同期センサ６７へ向かうレーザー光は、回転多面鏡４２の回転軸線方向から見て重なっている。本実施例では、同期検知用の折り返しミラーを用いていないため、光走査装置４０の大型化を招くことなく、また、他の光学部品と干渉することなく、レーザー光を同期センサ６７に導き、同期センサ６７から同期信号を得ることが可能となる。
【００３４】
光走査装置４０の小型化に伴い、反射ミラー６２等が密集して筐体１０１に配置されている。本実施例では、前述の角度α、βを有する場合には、光源ユニット５１と角度αの方向にずれた位置に同期センサ６７を配置する。これにより、同期センサ６７に向かう光線の光路９３が筐体１０１内の他の部品に妨げられることがなく、レーザー光の光路９３を確保することが容易となる。
【００３５】
［主走査絞りの位置］
図７（ａ）は半導体レーザー５２ａから出射されたレーザー光がコリメータレンズ５３ａを通過した後のレーザー光を説明する図である。図７（ａ）は、回転多面鏡４２の回転軸線方向（＋Ｚ方向）から見た図であり、図中両矢印は主走査方向に対応する方向を示す。半導体レーザー５２ａの発光点（発光素子）から出射されるレーザー光は放射光である。コリメータレンズ５３ａはレーザー光を平行光に変換する機能を有している。コリメータレンズ５３ａの焦点距離をＦｃｏｌとする。図７（ａ）に示すように、レーザー光の強度中心線（太い実線）は、コリメータレンズ５３ａに入射するまではコリメータレンズ５３ａの光軸（破線）に平行である。レーザー光がコリメータレンズ５３ａに入射すると、コリメータレンズ５３ａに入射したレーザー光の強度中心線は、コリメータレンズ５３ａにより屈折されて焦点を通過する。そして、コリメータレンズ通過後のレーザー光のマージナル光線（細い実線）は強度中心線に平行となる。
【００３６】
図７（ｂ）は、コリメータレンズ５３ａと回転多面鏡４２との間に主走査絞り６６ａを配置した場合の主走査絞り６６ａ（詳細には、後述する開口７０ａ）を通過するレーザー光の光路を抽出して示した図である。主走査絞り６６ａを通過するレーザー光の光路は、次のように定義される。主走査絞り６６ａの中心を通過する光線（一点鎖線）を主光線と定義する。主光線は、強度中心線に平行な光線である。主走査絞り６６ａを通過するレーザー光の主光線の光路は、図７（ｂ）に示すように、コリメータレンズ５３ａの光軸（破線）を法線とする平面と主走査絞り６６の中心を通る主光線との交点と、発光点と、を結ぶ線（一点鎖線）である。そのため、主走査絞り６６ａを通過するレーザー光のマージナル光線の光路は、マージナル光線がコリメータレンズ５３を通過した後は、図７（ｂ）に示すように主光線に平行となる。
【００３７】
図８（ａ）、図８（ｂ）は、主走査絞り６６ａの位置と、半導体レーザー５２ａが有する複数の発光点（ＬＤｍ、ＬＤｎ）から出射されるレーザー光の光路との関係を示す図である。図７と同様に、回転多面鏡４２の回転軸線方向（＋Ｚ方向）から見た図である。図８（ｂ）は、図８（ａ）に比べて、主走査絞り６６ａが回転多面鏡４２により近い側に配置されている。図７（ａ）、図７（ｂ）を用いて説明した方法で発光点ＬＤｍと発光点ＬＤｎからそれぞれ出射されるレーザー光の光路を定義する。図８（ａ）、図８（ｂ）に示すように、主走査絞り６６ａが回転多面鏡４２に近いほど、主走査方向に対応する方向における回転多面鏡４２の反射面上でのレーザー光のスポット位置の差（ΔＰａ及びΔＰｂ）が小さいことがわかる。
【００３８】
次に、主走査絞り６６ａを回転多面鏡４２に極力近い位置に配置することの技術的意義を説明する。回転多面鏡４２の所定の反射面をＡとする。反射面Ａが位置Ｒａ（実線）にあるときの発光点ＬＤｍの主光線（一点鎖線）と発光点ＬＤｎの主光線（一点鎖線）の反射面Ａ上における位置差はΔＰａとなる。なお、図８に示すように、位置差は、光軸に直交する方向（主走査方向に対応する方向）における、発光点ＬＤｍの主光線と発光点ＬＤｎの主光線との差とする。微小時間Δｔの間に回転多面鏡４２が回転することにより反射面Ａが位置Ｒａから位置Ｒｂ（破線）に移動する。反射面Ａが位置Ｒｂにあるときの発光点ＬＤｍの主光線と発光点ＬＤｎの主光線の反射面Ａ上における位置差はΔＰｂとなる。ここで、反射面Ａが位置Ｒａにあるときと位置Ｒｂにあるときの、発光点ＬＤｎの主光線の反射面Ａ上における位置差をΔａｂ１とする。反射面Ａが位置Ｒａにあるときと位置Ｒｂにあるときの、発光点ＬＤｍの主光線の反射面Ａ上における位置差をΔａｂ２とする。回転多面鏡４２は反射面Ａと光軸との交点を中心に回転しているわけではないので、Δａｂ１≠Δａｂ２である。そのため、ΔＰａ≠ΔＰｂとなる。即ち、回転多面鏡４２の回転位相状態によって、回転多面鏡４２の反射面Ａ上における発光点ＬＤｍと発光点ＬＤｎの主光線の位置差が異なる。なお、回転多面鏡４２の回転位相状態は、主走査方向におけるレーザー光のスポット位置に相当する。
【００３９】
図８（ｂ）のように主走査絞り６６ａを回転多面鏡４２に近づけて配置した場合、位置差ΔＰａ、ΔＰｂも位置差Δａｂ１、Δａｂ２も、図８（ａ）の場合に比べて小さくなっている。また、回転多面鏡４２の回転による光走査装置４０内部の昇温により、コリメータレンズ５３ａの焦点距離Ｆｃｏｌが微小に変化する。コリメータレンズ５３ａの焦点距離Ｆｃｏｌの変動によっても、回転多面鏡４２の反射面Ａ上における発光点ＬＤｍと発光点ＬＤｎの主光線の位置差が変動する。以上のことから、主走査絞り６６ａは、回転多面鏡４２に近い位置に配置する方がよい。他の光源ユニット５１ｂ、５１ｃ、５１ｄ、主走査絞り６６ｂについても同様である。
【００４０】
［発光タイミング］
図９（ａ）は、半導体レーザー５２から出射され、回転多面鏡４２の反射面Ａで反射されたレーザー光が感光ドラム５０上を主走査方向に走査されている様子を示す図である。図９（ａ）には、感光ドラム５０上の走査線を拡大した図も示す。図９（ａ）において、ＳＬＤ１は半導体レーザー５２の発光点ＬＤ１から出射されたレーザー光が感光ドラム５０上に形成するスポットを示している。ＳＬＤ２は半導体レーザー５２の発光点ＬＤ２から出射されたレーザー光が感光ドラム５０上に形成するスポットを示している。ＳＬＤ３は半導体レーザー５２の発光点ＬＤ３から出射されたレーザー光が感光ドラム５０上に形成するスポットを示している。ＳＬＤ４は半導体レーザー５２の発光点ＬＤ４から出射されたレーザー光が感光ドラム５０上に形成するスポットを示している。図９（ｂ）は、半導体レーザー５２の４つの発光点ＬＤ１、ＬＤ２、ＬＤ３、ＬＤ４を示す。なお、発光点ＬＤ１は図８（ａ）等の発光点ＬＤｍに対応し、発光点ＬＤ４は図８（ａ）等の発光点ＬＤｎに対応する。
【００４１】
図９（ａ）に示すように、感光ドラム５０上におけるレーザー光の各スポットの間隔をΔＤ（以下、スポット間隔という）とする。半導体レーザー５２は、スポット間隔ΔＤが画像形成装置の解像度相当となるように、工場での光走査装置４０の組立て時にチップホルダを矢印ｆ方向に回転させることによって調整される。半導体レーザー５２のチップホルダの回転調整によって、各発光点ＬＤ１、ＬＤ２、ＬＤ３、ＬＤ４から出射されたレーザー光の感光ドラム５０上におけるスポットの位置関係（露光位置関係）は図９（ａ）のようになる。なお、スポットＳＬＤ１とスポットＳＬＤ４の間隔をＦとすると、スポット間隔ΔＤはΔＤ＝Ｆ／３と表される。
【００４２】
発光点ＬＤ１によって形成されるドットと発光点ＬＤ４によって形成されるドットの主走査方向のずれを抑制するためには、次のような制御が必要となる。即ち、ＢＤ信号を基準として、画像データに基づく発光点ＬＤ１の発光タイミングに対して発光点ＬＤ４の発光タイミングを遅延させる必要がある。発光点ＬＤ４の発光タイミングを遅延させるための時間（以下、遅延時間という）Ｔの理論値は、Ｔ＝ΔＳ／Ｖｓである。ここで、ΔＳはスポットＳＬＤ１とスポットＳＬＤ４の主走査方向における位置差（以下、スポット位置差という）であり、Ｖｓはレーザー光の感光ドラム５０上における走査速度である。遅延時間Ｔは工場において測定装置を用いて求められる。
【００４３】
図１０は、同期センサ６７から出力されるＢＤ信号と、各発光点ＬＤ１〜ＬＤ４の発光と消灯の様子を示す図である。ＢＤ信号の立下りから次のＢＤ信号の立下りまでを１走査周期とする。図１０に示すように、レーザー光の１走査周期中においてＢＤ信号を基準として各発光点ＬＤ１〜ＬＤ４からレーザー光を出射するタイミング（以下、出射タイミングという）に差を設ける。これにより、各発光点ＬＤ１〜ＬＤ４によって形成されるドットの主走査方向における位置を合わせている。上述したように、発光点ＬＤ１の発光タイミングから発光点ＬＤ４の発光タイミングまでの遅延時間はＴである。発光点ＬＤ１の出射タイミングに対する発光点ＬＤ２から発光点ＬＤ４の出射タイミングの差（遅延時間）はそれぞれ、Ｔ×１／３、Ｔ×２／３、Ｔとなる。ＢＤ信号の立下りから各発光点ＬＤ１〜ＬＤ４の出射タイミングまでの時間を、ｔ１〜ｔ４とする。ＢＤ信号の立下りから発光点ＬＤ２の出射タイミングまでの時間ｔ２は、ｔ１＋Ｔ×１／３である。ＢＤ信号の立下りから発光点ＬＤ３の出射タイミングまでの時間ｔ３は、ｔ１＋Ｔ×２／３である。ＢＤ信号の立下りから発光点ＬＤ４の出射タイミングまでの時間ｔ４は、ｔ１＋Ｔである。
【００４４】
遅延時間Ｔは工場において測定装置を用いて求められる。測定装置は回転多面鏡４２によって偏向されたレーザー光を受光する受光センサを備える。受光センサは、感光ドラム５０の表面相当で、かつレーザー光の走査方向の所定の位置（例えば、感光ドラム５０の中央部に相当する位置）に配置されている。測定装置によって求められる遅延時間Ｔは、主走査方向における受光センサが配置されている位置のスポット位置差に相当する。
【００４５】
しかし、図８で説明したように、主走査方向における発光素子間のスポット位置差はレーザー光の走査位置によって異なる。即ち、遅延時間Ｔは、主走査方向の全ての位置における発光素子間のスポット位置差を示す値でない。そのため、主走査絞り６６を回転多面鏡４２に極力近い位置に配置して、主走査方向の全ての位置における発光素子間のスポット位置差の変動を低減している。このように、主走査方向の全ての位置において発光点ＬＤｍによって形成されるドットと発光点ＬＤｎによって形成されるドットのずれを抑制することが必要となる。以上が、主走査絞り６６を回転多面鏡４２に近い位置に設置する理由である。
【００４６】
［回転多面鏡の面偏心］
回転多面鏡４２は、例えば５つの反射面を有している。これら５つの反射面は加工上のばらつきにより、回転軸からの距離がそれぞれ異なる。これを面偏心という。図１１は、回転多面鏡４２の面偏心によりレーザー光の光路がずれた様子を示す図である。図１１に示すように、回転多面鏡４２に面偏心があるため、回転多面鏡４２の回転に応じて反射面の位置が変化する。図１１では回転多面鏡４２の５つの反射面のうち３つの反射面を図示し、反射面Ａ（実線）、Ｂ（破線）、Ｃ（点線）としている。
【００４７】
回転多面鏡４２の反射面に対してレーザー光Ｓが斜めに入射すると、同じ光源からのレーザー光Ｓであっても、回転多面鏡４２のどの反射面によって反射されるかにより、反射されたレーザー光が光学レンズ６０の異なる領域を通過する。例えば、レーザー光Ｓが反射面Ａで反射されると実線で示す光路Ａ’を進む。レーザー光Ｓが反射面Ｂで反射されると破線で示す光路Ｂ’を進む。レーザー光Ｓが反射面Ｃで反射されると点線で示す光路Ｃ’を進む。このため、感光ドラム５０の面上において、周期的に副走査方向の照射位置が変化する。周期的に副走査方向の照射位置が変化することによって走査線間の間隔が不均一となり、帯状の濃度ムラを有する画像不良（バンディング）が発生する。図１１に示すように、反射面の法線（一点鎖線）に対するレーザー光Ｓの入射角度をαとすると、入射角度αが小さいほど、回転多面鏡４２の面偏心の影響を小さく抑えることができる。
【００４８】
［同期センサ］
同期センサ６７は、同期センサ６７上をレーザー光のスポットが通過する際の出力変化に基づいてＢＤ信号を出力する。図１２（ａ）は同期センサ６７の拡大図である。同期センサ６７は例えば２つのフォトダイオード（以下、ＰＤとする）ＰＤ１、ＰＤ２を有している。ＰＤ１、ＰＤ２は近接して配置されている。図１２（ａ）中の矢印はレーザー光の走査方向を示し、走査方向を示す線上の○印はレーザー光のスポットを示す。レーザー光のスポットは、ＰＤ１、ＰＤ２が配置されていない領域からＰＤ１上、ＰＤ２上を順に通過して、再びＰＤ１、ＰＤ２が配置されていない領域に走査される。図１２（ａ）上には、レーザー光の４つのスポットを示している。
【００４９】
図１２（ｂ）は、横軸に時間、縦軸にＰＤ１、ＰＤ２の出力値を示すグラフであり、ＰＤ１の出力を実線で示し、ＰＤ２の出力を破線で示す。レーザー光のスポットは同期センサ６７上をＰＤ１側からＰＤ２側へ通過する。ＰＤ１上にレーザー光のスポットがある際には、ＰＤ１の出力が増加し、ＰＤ２の出力に変化はない。レーザー光のスポットがＰＤ１を抜けてＰＤ２へ入射すると、ＰＤ１の出力が低下しＰＤ２の出力が増加する。同期センサ６７は、ＰＤ１とＰＤ２の出力が逆転するタイミング（以下、クロスポイントという）をトリガとして、画像形成の基準となるＢＤ信号を出力する。このように、同期センサに２つのＰＤ１、ＰＤ２を用いることで、温度変化等の環境の影響を受けない安定したＢＤ信号を出力することができる。
【００５０】
図１２（ｃ）は、図１２（ｂ）に示すＰＤ１、ＰＤ２の出力に基づいて、信号が出力されるタイミングを示す図であり、横軸に時間、縦軸に出力電圧を示す。なお、実際に同期センサ６７から出力されるＢＤ信号は、図１０に示すように、ＰＤ１とＰＤ２のクロスポイントにおいて立下る信号である。
【００５１】
［主走査絞り］
図１３は主走査絞り６６ａの構成を説明する図である。図１３（ａ）は、回転多面鏡４２側から主走査絞り６６ａを見たときの様子を示す図である。図１３（ｂ）は、図１３（ａ）のＥ−Ｅ線における断面図であり、図中上側に光源ユニット５１ａが配置され、図中下側に回転多面鏡４２が配置されている。図１３（ｃ）は、図１３（ａ）のＦ−Ｆ線における断面図であり、図中左側に光源ユニット５１ａが配置され、図中右側に回転多面鏡４２が配置されている。光源ユニット５１ａから出射されたレーザー光は、主走査絞り６６ａに設けられた開口７０ａを通過して回転多面鏡４２に到達する。光源ユニット５１ｂから出射されたレーザー光は、主走査絞り６６ａに設けられた第２の開口である開口７０ｂを通過して回転多面鏡４２に到達する。開口７０ａ、７０ｂの幅は略同じ幅となるように設けられており、開口７０ａ、７０ｂの幅を主走査絞り６６ａの幅といい、Ｗ１で表す。
【００５２】
主走査絞り６６ａには、光源ユニット５１ａから出射され、回転多面鏡４２によって反射されたレーザー光を同期センサ６７に導くための開口が設けられており、以下、同期検知光通過部６８という。同期検知光通過部６８の幅を、以下、Ｗ２とする。なお、開口７０ａと同期検知光通過部６８が第１の開口に相当する。第１の開口である、開口７０ａ及び同期検知光通過部６８は、光源ユニット５１ａから出射されて回転多面鏡４２に向かうレーザー光の一部を遮光し、かつ光源ユニット５１ａから出射され回転多面鏡４２により反射され同期センサ６７に向かう光を通過させる。また、角度α、βは、図３、図４等で説明した角度である。図１２で説明したように、レーザー光のスポットが同期センサ６７上を通過するために、主走査絞り６６ａの幅Ｗ１に対して、同期検知光（図４の光路９３）が通過する領域である幅Ｗ２が大きくなるように通過孔が形成されている（Ｗ２＞Ｗ１）。これにより、回転多面鏡４２によって反射されたレーザー光が図１２で説明した同期センサ６７上を十分に走査できるように、レーザー光が通過する幅が確保される。
【００５３】
開口７０ａと同期検知光通過部６８との間には分離部は設けられておらず、開口７０ａと同期検知光通過部６８とで副走査方向に縦長の開口を形成している。一方、開口７０ｂと同期検知光通過部６８との間には遮光部６９が設けられている。図８（ａ）等で説明したように、レーザー光のスポット位置差を可能な限り小さくするために主走査絞り６６ａを回転多面鏡４２へ近づけると、角度αの影響により、入射光（光路９０）と同期検知光（光路９３）との距離が近接する（図４参照）。一方、図７（ａ）等で説明したように、主走査絞り６６ａは光源ユニット５１ａ、５１ｂから出射されたレーザー光の幅を規定するために設けられている。このため、開口７０ａ、７０ｂを分離している遮光部６９が形成できなくなるまで主走査絞り６６ａを回転多面鏡４２へ近づけることはできない。そのため、主走査絞り６６ａの開口７０ａと同期検知光通過部６８とが同一の通過穴となる位置まで主走査絞り６６ａを近づける。これにより、光源ユニット５１ａ、５１ｂから出射されたレーザー光と、回転多面鏡４２により反射され同期センサ６７へ向かうレーザー光とが、いずれも安定した状態で走査又は入射されることが可能となる。
【００５４】
また、図１３のような主走査絞り６６ａとすることで、入射光（光路９０）と同期検知光（光路９３）の距離が近接している微小なクリアランスに構造を配置するための、微小な製造工程を必要としない。本実施例では、例えば、主走査絞り６６ａを、２α＜βを満足するような位置に配置する。なお、加工上の安定性を考慮して、２α＞βとなるように構成してもよい。２α＞βとなるように構成しても、開口７０ａと同期検知光通過部６８とを同一の孔とすることが望ましい。主走査絞り６６ｂについても同様である。
【００５５】
図１３に示すように、開口７０ａ、７０ｂ及び同期検知光通過部６８は、回転多面鏡４２に向かう方向に開口が広くなるように形成されている。開口７０ａ、７０ｂ及び同期検知光通過部６８の形状をこのように設計することで、主走査絞り６６ａを成型する際に回転多面鏡４２側に型を抜くことができる。主走査絞り６６ｂについても同様である。
【００５６】
なお、光源ユニット５１ｃ、５１ｄから出射されたレーザー光は、主走査絞り６６ｂによりスポットの形状が整形される。光源ユニット５１ｃから出射されたレーザー光は、主走査絞り６６ｂに設けられた開口７０ｃを通過して回転多面鏡４２に到達する（図５参照）。光源ユニット５１ｄから出射されたレーザー光は、主走査絞り６６ｂに設けられた開口７０ｄを通過して回転多面鏡４２に到達する（図５参照）。開口７０ｃ、７０ｄの幅は、開口７０ａ、７０ｂと略同じ幅Ｗ１となるように設けられている。なお、開口７０ｃ、７０ｄの幅は、それぞれの色に必要とされる幅を規定するために、開口７０ａ、７０ｂと異なる幅となるように設けられてもよい。
【００５７】
以上、本実施例によれば、画質を低下させることなく、光走査装置の小型化を実現することができる。
【符号の説明】
【００５８】
４２            回転多面鏡
５１ａ、５１ｂ  光源ユニット
６６ａ          主走査絞り
６７            同期センサ
６８            同期検知光通過部
７０ａ、７０ｂ  開口
【図１】
2018132644.tif 000003
【図２】
2018132644.tif 000004
【図３】
2018132644.tif 000005
【図４】
2018132644.tif 000006
【図５】
2018132644.tif 000007
【図６】
2018132644.tif 000008
【図７】
2018132644.tif 000009
【図８】
2018132644.tif 000010
【図９】
2018132644.tif 000011
【図１０】
2018132644.tif 000012
【図１１】
2018132644.tif 000013
【図１２】
2018132644.tif 000014
【図１３】
2018132644.tif 000015